Podtech/llm-jp-corpus-v4-ja_patent huggingface dataset:
(57)【要約】【課題】餌持ちよく、多種多様な魚種に対応でき、半永久万能釣り仕掛けとして、いつでも気楽に使用できる。【解決手段】タル付（環付）オモリ（１）の側面中央に対角に穴をあけ、通孔（２）を作り、やわらかい弾力性のある材質の石鯛ワイヤー（３）をクロス（５）するように通し固定。両端に輪状（４）を作り、釣針（７）を取り付けるようにセットした特徴の十文字釣り仕掛け。【選択図】図１
2017018080.tif 000002
【特許請求の範囲】
【請求項１】
ビニールパイプ（１）の側面中央から対角に釣り用ワイヤ（２）をクロス（５）するように通し、釣り針（８）を取り付けるようにセットした特徴の十文字釣り仕掛け。
【発明の詳細な説明】
【発明の詳細な説明】
【技術分野】
【０００１】  この発明は釣り用仕掛けに関するものである。
【背景技術】
【０００２】  従来の釣り用仕掛けは垂直方向に並べたものしかない。
【発明が解決しようとする課題】
【０００３】  これには次のような欠点があった。（イ）魚種によって釣り仕掛けを考えなければならない。（ロ）餌持ち時間が短い。
【課題を解決するための手段】
【０００４】  ビニールパイプ（１）の側面中央から対角にやわらかい弾力性のある材質の釣り用ワイヤ（２）をクロス（５）するように通し、釣り針（８）を取り付けるようにセットした十文字釣り仕掛け。
【発明を実施するための形態】
【０００５】  以下、本発明の実施の形態について説明する。（イ）ビニールパイプ（１）の側面中央に穴をあけ、釣り用ワイヤ（２）をビニールパイプ（１）の内部でクロス（５）するように通す。（ロ）からみ防止ワイヤ（２）の両端に輪状部（４）を設け、下部輪状部（４）に下釣り針取り付け用のサルカン（７）をセットしておく。（ハ）ビニールパイプ（１）の内部中央で、からみ防止ワイヤ（３）の下部輪状部内（４）にワイヤ（２）をクロス（５）させる。（ニ）ワイヤ（２）の両端に輪状部（４）を設け、また、からみ防止ワイヤ（３）輪状部共にバラケるのを防止するため、熱収縮パイプ（６）をセットする。（ホ）ビニールパイプ（１）の外周面に沿って、ワイヤ（２）を吸い込み糸（９）で結び、更に瞬間接着剤で補強する。（ヘ）釣り針（８）を取り付ける際、チチワの部分をワイヤ（２）の上に乗せスライドするようにする。
【発明の効果】
【０００６】  餌持ちがよく、多種多様な魚種に対応でき、半永久万能釣り仕掛けとして、いつでも気楽に使用できる。
【図面の簡単な説明】
【０００７】
【図１】本発明の組み立て図である。
【図２】本発明の斜視図である。
【図３】本発明の要部断面図である。
【符号の説明】
【０００８】  １  ビニールパイプ  ２  ワイヤ  ３  からみ防止ワイヤ  ４  輪状部  ５  クロス部  ６  熱伸縮パイプ  ７  サルカン  ８  釣り針  ９  クロス補強吸い込み糸
【図１】
2017018080.tif 000003
【図２】
2017018080.tif 000004
【図３】
2017018080.tif 000005
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
タル付（環付）オモリ（１）の側面中央に対角に穴をあけ、通孔（２）を作り、石鯛ワイヤー（３）をクロス（５）するように通し固定、両端に輪状を作り、釣針（７）を取り付けるようにセットした特徴の十文字釣り仕掛け。
【手続補正２】
【補正対象書類名】明細書
【補正対象項目名】０００４
【補正方法】変更
【補正の内容】
【０００４】タル付（環付）オモリ（１）の側面中央に対角に穴をあけ、通孔（２）を作り、やわらかい弾力性のある材質の石鯛ワイヤー（３）をクロス（５）するように通し固定、両端に輪状を作り、釣針（７）を取り付けるようにセットした特徴の十文字釣り仕掛け。
【手続補正３】
【補正対象書類名】明細書
【補正対象項目名】０００５
【補正方法】変更
【補正の内容】
【０００５】  以下、本発明の実施の形態について説明する。
（イ）タル付（環付）オモリ（１）の側面中央に対角に穴をあけ、通孔（２）を作り、石鯛ワイヤ（３）をタル付（環付）オモリ（１）の内部でクロス（５）するように通す。
（ロ）石鯛ワイヤー（３）の両端をねじり、輪状（４）を作り、釣針（７）を取り付けるようにし、バラケるのを防止するため、ねじり部を吸い込み糸（１１）でくくり付け、接着材使用補強、更に熱収縮パイプ（６）をセットする。
（ハ）タル付（環付）オモリ（１）と十文字になった石鯛ワイヤ（３）を固定させるためにタル付（環付）オモリ（１）の外周面に沿って、石鯛ワイヤ（３）を吸い込み糸（１１）で結び、更に接着剤で補強する。その際、石鯛ワイヤ（３）の長さを均等にする。
（ニ）釣針（７）を取り付ける際、ハリス（８）で釣針（７）を結んだ一端に８の字チチワまたは、２重結びでループ（９）を作り、輪状部（４）にループ（９）を上から通し更に釣針（７）をループ（９）部分に通し外れないようにする。釣針（７）はすべて外向きになるようにセットする。更にループ（９）部分を石鯛ワイヤー（３）に載せ、ハリス（８）に余裕を持たせ釣針（７）がスライドするように取り付ける。十文字仕掛け特有の水平にこだわったのは餌を付けた場合、餌が水平浮遊状態になり、自然な状態で魚が食いつきやすくするため。
（ホ）石鯛ワイヤー十文字のクロス部分（５）から輪状部（４）までの長さと釣針（７）ループ（９）を含めハリス（８）の長さを均等にする。ハリス（８）、釣針（７）が長くても短くてもハリス（８）、糸が絡みやすい。
（ヘ）十文字仕掛けに下針（本仕掛け）（１０）を取り付け、魚種に応じて簡単に取り替えが可能な万能釣り仕掛けでもある。
【手続補正４】
【補正対象書類名】明細書
【補正対象項目名】０００８
【補正方法】変更
【補正の内容】
【０００８】  １  タル付（環付）オモリ
２  通孔
３  石鯛ワイヤー
４  輪状部
５  クロス部
６  熱伸縮パイプ
７  釣り針
８  ハリス
９  ８の字チチワ（ループ）
１０  下針（本仕掛け）
１１  吸い込み糸
【手続補正５】
【補正対象書類名】図面
【補正対象項目名】全図
【補正方法】変更
【補正の内容】
【図１】
2017018080.tif 000006
【図２】
2017018080.tif 000007
【図３】
2017018080.tif 000008
(57)【要約】【課題】  本発明は、茶葉に異物を混入させないよう、上部を覆った製茶用搬送装置を提供することを課題としており、製茶工場に既に設置されている搬送装置に容易に設置可能であることを課題としている。【解決手段】  本発明の第１手段は、茶葉を搬送する搬送装置と、該搬送装置のコンベヤフレームに固定した被覆フレームと、該被覆フレーム及び前記搬送装置を覆うように設けた被覆部材と、該被覆部材を前記被覆フレームに固定するための被覆取付具とを設けることを特徴とする製茶用搬送装置。【選択図】図１
2017018072.tif 000002
【特許請求の範囲】
【請求項１】
茶葉を搬送する搬送装置と、
該搬送装置のコンベヤフレームに固定した被覆フレームと、
該被覆フレーム及び前記搬送装置を覆うように設けた被覆部材と、
該被覆部材を前記被覆フレームに固定するための被覆取付具とを設けることを特徴とする製茶用搬送装置。
【請求項２】
前記被覆部材は可撓性であることを特徴とする請求項１記載の製茶用搬送装置。
【請求項３】
前記被覆取付具は、工具を用いずに着脱自在なものであることを特徴とする請求項１または２記載の製茶用搬送装置。
【請求項４】
前記被覆取付具は、前記被覆部材の外側にて固定することを特徴とする請求項１、２または３記載の製茶用搬送装置。
【発明の詳細な説明】
【技術分野】
【０００１】
本発明は、製茶工場内で茶葉を搬送するための搬送装置に関するものである。
【背景技術】
【０００２】
従来の製茶工場では、図７のような搬送装置の搬送面に茶葉を載せて、搬送していた。近年では、搬送装置上での異物混入を防ぐため、特許文献１のような発明がされていた。しかし、特許文献１のような装置は大がかりであり、実際にはこのような装置は設置されていなかった。
【０００３】
製茶工場に設置されている搬送装置を特許文献７のようにする場合、製茶工場内に縦横無尽に配置された搬送装置に取り付けることは非常に困難であった。事前に製茶工場に設置されている搬送装置を採寸した後に、製作して、取付をしても、他の機械との干渉は避けられなく、現地改造や部品の再製作が日常的に発生していた。また、製茶工場に設置されている搬送装置に切断や孔開け、溶接が行われることにより、搬送装置上に少なからず異物が残ってしまう。以上のように、採寸、図面作成、取付の人工がかかり、費用も高額だった。
【０００４】
また、製茶工場の搬送装置は製茶機械より上の２Ｍ〜８Ｍの高さに設置されてものが多く、取付作業を高所で足場が悪い環境下で行う必要があり、作業が危険だった。
【先行技術文献】
【特許文献】
【０００５】
【特許文献１】特開２０００−８３５８４号公報
【発明の概要】
【発明が解決しようとする課題】
【０００６】
本発明は、茶葉に異物を混入させないよう、上部を覆った製茶用搬送装置を提供することを課題としており、製茶工場に既に設置されている搬送装置に容易に設置可能であることを課題としている。
【課題を解決するための手段】
【０００７】
本発明の第１手段は、
茶葉を搬送する搬送装置と、
該搬送装置のコンベヤフレームに固定した被覆フレームと、
該被覆フレーム及び前記搬送装置を覆うように設けた被覆部材と、
該被覆部材を前記被覆フレームに固定するための被覆取付具とを設けることを特徴とする製茶用搬送装置。
【０００８】
本発明の第２手段は、前記第１手段において、前記被覆部材は可撓性である。
本発明の第３手段は、前記第１または２手段において、前記被覆取付具は、工具を用いずに着脱自在なものである。
本発明の第４手段は、前記第１、２または３手段において、前記被覆取付具は、前記被覆部材の外側にて固定する。
【発明の効果】
【０００９】
寸法取りや図面作成の必要がなく、製茶工場に既に設置されている搬送装置へ非常に短時間で簡単に設置可能である。また、安価で設置することができる。
【図面の簡単な説明】
【００１０】
【図１】図１は製茶用搬送装置の実施方法を示した斜視図である。
【図２】図２は被覆フレームの実施方法を示した斜視図である。
【図３】図３は被覆フレームの一例を示した説明図である。
【図４】図４は製茶用搬送装置の実施方法を示した説明図である。
【図５】図５は被覆取付具の取付方法を示した説明図である。
【図６】図６は被覆取付具の取付方法を示した説明図である。
【図７】図７は従来の搬送装置を示した斜視図。
【発明を実施するための形態】
【００１１】
図１はベルトコンベヤ１による製茶用搬送装置であり、製茶工場にはこの他に振動コンベヤなどもある。本実施例ではベルトコンベヤ１を例に挙げるが、振動コンベヤでも同様である。この製茶用搬送装置は、製茶機械から製茶機械へ加工中の茶葉を搬送するためのものである。本実施例では、左端のコンベヤベルト１Ａ上に茶葉を載せ、コンベヤベルト１Ａの右端から下方へ落下させて、搬送する。
【００１２】
ベルトコンベヤ１の巾方向のコンベヤフレーム２に被覆フレーム３を取り付ける。本実施例では、コンベヤフレーム２の凹部にフレーム取付具４をはめ込み、フレーム取付具４と被覆フレーム３とを蝶ナット５によって取り付ける。被覆フレーム３の取付については、本実施例の取付方法が最良と考えられるが、他の方法でもよい。被覆フレーム３の上から被覆部材７を覆い被せ、被覆フレーム３と被覆部材７が重なっているところを、被覆取付具８により取り付ける。この被覆取付具８は、工具を用いずに着脱自在となるものを用いている。被覆フレーム３と被覆部材７とを被覆部材７の外側から固定する。被覆部材７は可撓性であり、布、ビニール、網など、いずれでもよく、これらの被覆部材７ははさみやカッターなどで長さや形状が自由に加工でき、被覆後の形状も変更可能である。被覆部材７の素材は、搬送装置の場所（茶葉の状態）により選択するとよい。
【符号の説明】
【００１３】
１    ベルトコンベヤ
１Ａ    コンベヤベルト
２    コンベヤフレーム
３    被覆フレーム
４    フレーム取付具
５    蝶ナット
６    被覆フレーム固定具
７    被覆部材
８    被覆取付具
【図１】
2017018072.tif 000003
【図２】
2017018072.tif 000004
【図３】
2017018072.tif 000005
【図４】
2017018072.tif 000006
【図５】
2017018072.tif 000007
【図６】
2017018072.tif 000008
【図７】
2017018072.tif 000009
(57)【要約】【課題】耐熱性ゼリー片の新規な製造方法を提供すること。【解決手段】カルシウム反応ゲル化性のゲル化剤溶液をカルシウムを含有する溶液と反応させるとき、激しく撹拌し続けることにより、ゼリー片を効率的に得る。【選択図】なし【特許請求の範囲】
【請求項１】
カルシウム反応ゲル化性のゲル化剤溶液とカルシウムを含有する溶液をミキサーまたはインラインミキサーで激しく撹拌しながら反応させることによってできるゼリー片、およびその製造方法。
【請求項２】
カルシウム反応性のゲル化剤としてアルギン酸ナトリウム、ＬＭペクチンから選ばれる１種または２種である請求項１記載のゼリー片およびその製造方法。
【請求項３】
カルシウムを含有する溶液のカルシウム源が、乳酸カルシウム、塩化カルシウム、第二リン酸カルシウム、クエン酸カルシウム、炭酸カルシウムから選ばれる１種または２種以上である請求項１記載のゼリー片およびその製造方法。
【発明の詳細な説明】
【発明の詳細な説明】
【技術分野】
【０００１】  本発明は熱不可逆性ゼリー片の製造方法に関する。
【背景技術】
【０００２】  カルシウム反応ゲル化性のアルギン酸ナトリウムまたはＬＭペクチンの溶液をカルシウム溶液に滴下すると球形に近いゼリーを製造することが出来る。また、カルシウム溶液にアルギン酸ナトリウムまたはＬＭペクチンの溶液を細く押出し続けると、線状のゼリーができる。これらの技術によって、イクラの様な球形食品を製造し、糸こんにゃくのような形状の食品を製造することができる。
【発明の開示】
【発明が解決しようとする課題】
【０００３】  上記したように、カルシウム反応性ゲル化剤を使った球形、線状の食品は多くみられ、食生活を豊かにしているが、新たな応用食品は常に市場で求められている。【０００４】  本発明は、カルシウム反応ゲル化性のアルギン酸ナトリウムまたはＬＭペクチンのカルシウム反応を利用するときに、滴下せず、押し出さず、あらたな処理方法を提供するものである。
【課題を解決するための手段】
【０００５】  本発明者らはカルシウム反応ゲル化性のアルギン酸ナトリウムまたはＬＭペクチンのカルシウム反応をさせるに当たり、カルシウム溶液を激しく撹拌しているところへゲル化剤溶液を、一気に流し込み、一定時間のせん断を伴う撹拌をすることにより大量のゼリー片を製造する。【０００６】  即ちカルシウム反応ゲル化性ゲル化剤溶液はカルシウム溶液と出会うと二液の境界面が瞬時にゲル化する。激しいせん断を伴う撹拌によって大きなゲルは小さく細断され、それらが瞬時にゲル化し、更に細断されてより小さくなり、ゼリー片が無数に浮遊している状態となる。【０００７】  激しくせん断を伴う撹拌を行うには、縦型のケーキミキサーを使い、ワイヤーホイッパーなどで撹拌する方法がある。あるいは、パイプライン中にこれと同等な撹拌、せん断効果のあるミキサーを内蔵させることによって、ケーキミキサーと同等な効果を得ることができる。
【発明の効果】
【０００８】  カルシウム反応性ゼリー液をカルシウム液に一気に投入し、強い撹拌をするだけで粒状のゼリーができる。これはバッチ式でも良く、また、連続的にパイプライン内で行うこともできる。このゼリー片はミカンさのうのように感じたり、野菜のみじん切りのように感じられるような好ましい食感のものである。
【発明を実施するための最良の形態】
【０００９】  カルシウム反応性のゲル化剤としてアルギン酸ナトリウム、ＬＭペクチンから選ばれる１種または２種を使用する。【００１０】  カラギーナン、ローカストビーンガム、グァーガム、キサンタンガム、寒天、ジェランガムから選ばれる１種または複数種を上記カルシウム反応性のゲル化剤と併用する。組み合わせることにより、出来上がったゼリー片の食感は変化し、ゼリー片の大きさや形状を調整することができる。【００１１】  カルシウム入り溶液として、フルーツ味やヨーグルト味、コーヒー飲料、ミルク入りコーヒー飲料などを使用することができる。また、サラダドレッシングのような液を使うことができる。これらの液に乳酸カルシウムならば０．０１〜１．０％を溶かしこんでおく。カルシウム源としては、他に、塩化カルシウム、第二リン酸カルシウム、クエン酸カルシウム、炭酸カルシウムを用途に合わせて選ぶことができる。【００１２】カルシウム反応ゲル化性のゲル化剤溶液のカルシウム反応時の温度は０℃〜１００℃の任意の温度を選ぶことができる。カルシウム溶液の温度は０℃〜１００℃の任意の温度を選ぶことができる。すなわち、広い温度域で両液を反応させ、ゼリー片を製造することができる。【００１３】撹拌しているカルシウム溶液に一定量のゲル化剤溶液を流し込み、一定時間反応させゲル化させる。撹拌し反応ゲル化させる時間の長さは５秒から１０分間の範囲で設定できる。時間が短ければ大き目のゼリー片となる傾向で、長ければ小さめとなる。撹拌する方法は、ケーキミキサーを用い、ワイヤーホイッパー、フック、ビーターから選んで撹拌すれば良く、これに似た撹拌羽根をパイプライン中に内蔵すれば、連続的にゼリー片を製造することができる。
【実施例１】
【００１４】本発明のゼリー片を製造するに当り、表１の配合でカルシウム反応ゲル化性のゲル化剤溶液を９０℃に調整する。一方、表２の配合でカルシウム入り飲料を溶解、９０℃に調整しておく。表２のカルシウム溶液を縦型ケーキミキサーに投入し、ワイヤーホイッパーにて撹拌しているところへ表１のゼリー液を投入し、３分間撹拌を続けた後、飲料容器にホットパック、冷却し、ゼリー片入りオレンジジュースを得た。表３にその評価を記す。【００１５】
【表１】
2017018079.tif 000002
【００１６】
【表２】
2017018079.tif 000003
【００１７】
【表３】
2017018079.tif 000004
(57)【要約】【課題】芝生等の植物が、踏み固め等に依る悪影響が及ぶことが防止されるようにした植物保護桟の提供を図る。【解決手段】垂直板部の上下両端縁に、水平状に連なる設置用底板部と天面板部とを一体的に折り曲げ形成して成る断面コ字状を呈するレール稈を二本用い、これを、等間隔等、所定間隔を保って左右対称的に位置させると共に、その対向する天面板部部分間に、所要間隔を保って桟材を架設固定するように構成する。【選択図】  図１
2017018008.tif 000002
【特許請求の範囲】
【請求項１】
垂直板部の上下両端縁に、水平状に連なる設置用底板部と天面板部とを一体的に折り曲げ形成して成る断面コ字状を呈するレール稈を二本用い、これを、等間隔等、所定間隔を保って左右対称的に位置させると共に、その対向する天面板部間に、所要間隔を保って桟材を架設固定するように構成した植物保護用桟。
【発明の詳細な説明】
【技術分野】
【０００１】
本発明は、芝生等の植物が、踏み固め等に依る悪影響が及ぶことが防止されるようにした植物保護桟に関する。
【背景技術】
【０００２】
従来、芝生等の保護を成すものとして、地表に敷設する「地盤整備材」がある。これは地盤整備材を敷設するとやや埋め戻し、この上から芝をはり、または芝の種子を植え、これにより、芝が地盤整備材による保護状態に保たれるように構成したものである(例えば特許文献１参照。)。
【先行技術文献】
【特許文献】
【０００３】
【特許文献１】特開０５−１７９０５号公報
【発明の概要】
【発明が解決しようとする課題】
【０００４】
上記した従来手段であると、芝生の保護のために、地盤整備材を全面的に敷設する必要があるため、その実行には多大な費用が掛かってしまうことを余儀なくされた。更に、すでに植えられている芝生等に対しては実施不能とするものである。
【０００５】
本発明はこのような従来の問題を解消し、既存の芝生植設面であっても、直ちにその保護的対処を採ることが可能化され、かつ、このような対応が低コストで実行可能とするようにした、新規な「植物保護用桟」と言う製品の提供を図ったものである。
【課題を解決するための手段】
【０００６】
本発明は請求項１に記載のように、垂直板部の上下両端縁に、水平状に連なる設置用底板部と天面板部とを一体的に折り曲げ形成して成る断面コ字状を呈するレール稈を二本用い、これを、等間隔等、所定間隔を保って左右対称的に位置させると共に、その対向する天面板部間に、所要間隔を保って桟材を架設固定するように構成した植物保護用桟に係る。
【発明の効果】
【０００７】
本発明は請求項１に記載のように、二本のレール稈と所要本数の桟材とから成るという、極めてシンプルな形態としてあるから、廉価にして簡便なる提供が可能化される。また、その設置も、単に載置するだけでも可とするため、設置上の至便性も図られる。
更に、レール稈として、既存のチャンネル稈を用いることが出来るから、製造上の困難性を皆無とする。
【図面の簡単な説明】
【０００８】
【図１】本発明の使用状態を表した説明用断面図であって、図３におけるＸ−Ｘ線部分の拡大断面図に該当する図面である。
【図２】図３におけるＸ−Ｘ線部分の拡大断面図である。
【図３】本発明の平面図である。
【図４】図３におけるＹ−Ｙ線断面図である。
【発明を実施するための形態】
【０００９】
図において、１は断面コ字状を呈するレール稈であって、垂直板部１ａと、当該垂直板部１ａの上下両端縁に、水平状に連なる設置用底板部１ｂと天面板部１ｃとを、夫々一体的に折り曲げ形成して成るものである。
【００１０】
上記したレール稈１はこれを二本、所定間隔を保って左右対称的に位置させると共に、その対向する天面板部１ｃ部分に対し桟材２を、等間隔など所定間隔を保って架設固定するように構成してある。なお、図示の実施例にあっては、当該桟材２として丸棒状のものを用いるが、角棒状、或は平桟状のものであっても良い。
【００１１】
そして、上記したレール稈１は、図１に示すように、設置用底板部１ｂ部分を接地させて芝生等植物植え込み面に載置する。これにより、上面に位置するに桟材２が植物の根を圧迫しない状態（浮かされた状態）で架設されることとなり、その間の植物が保護状態に保たれる。換言すれば、歩行者等が桟材２を踏みながら歩くことにより、歩行者の荷重が芝生等の植物に対して掛ることが無く、良好なる保護状態に保たれる。
【００１２】
ところで、レール稈１の高さ、すなわち、垂直板部１ａの高さ幅であるが、この寸法は、保護対象とする植物の高さとなるため、これに即応された寸法のものを選定する。そして、桟材２の間隔は使用目的に依って、適宜の幅に設定する。すなわち、比較的早歩きが行われる場所では、間隔を広めに、また、幼児や老人の通行が予想される場所にあっては、間隔を密なものとするように設定する。
【００１３】
本発明は、ゴルフ場、公園、緑化フィールド等に載置して使用に供する。そして、原則として地面に固定化する必要がなく、単に置くだけでその目的が達成されるものであるから、イベントに依っては適宜移動するような使用形態を採ることとができる。
【符号の説明】
【００１４】
１   レール稈
１ａ 垂直板部
１ｂ 設置用底板部
１ｃ 天面板部
２   桟材
【図１】
2017018008.tif 000003
【図２】
2017018008.tif 000004
【図３】
2017018008.tif 000005
【図４】
2017018008.tif 000006
(57)【要約】      （修正有）【課題】握力の弱い使用者でも使用しやすいよう、滑り止め効果を高めた球技用グリップの提供。【解決手段】筒状のエラストマー製の樹脂で最下層のグリップを形成し、その上から、不織布に不織布の生地が表面に現れる面積を残してシリコンインクで滑り止めの模様を印刷したものを巻きつけ、その不織布の両端を接合し、その不織布の下端を伸縮性のある環状のバンドで止める。【選択図】図１
2017018244.tif 000002
【特許請求の範囲】
【請求項１】
筒状のエラストマー製の樹脂で最下層のグリップを形成し、その上から、不織布に不織布の生地が表面に現れる面積を残してシリコンインクで滑り止めの模様を印刷したものを巻きつけ、その不織布の両端を接合し、その不織布の下端を伸縮性のある環状のバンドで止めた形式で作成されたことを特徴とする球技用グリップ。
【発明の詳細な説明】
【技術分野】
【０００１】
本発明は、表面にシリコン樹脂を印刷した球技用グリップある。
【背景技術】
【０００２】
近年、ゴルフやグラウンド・ゴルフ、パークゴルフ、ゲートボールなどの球技に関連する業界では、クラブに取り付けるグリップとして本革や、PU合成皮革や、天然ゴムや、エラストマー材など多種多様の素材を用いたグリップが販売されている。
【発明の概要】
【発明が解決しようとする課題】
【０００３】
しかし、ゴルフの業界ではグリップ形状や機能性に関する様々な規定があり、その自由度は低い。その他のグラウンド・ゴルフ、パークゴルフ、ゲートボールのような球技にもゴルフとは異なる規定であり滑り止めの観点から比較的自由度が高いにも関わらず、ゴルフと同様の素材のグリップが採用され、握力の弱い使用者向けに滑り止め効果の高いものがないという欠点があった。
【課題を解決するための手段】
【０００４】
上記課題を解決するために、請求項１に記載の発明は、筒状のエラストマー製の樹脂で最下層のグリップを形成し、その上から、不織布に不織布の生地が表面に現れる面積を残してシリコンインクで滑り止めの模様を印刷したものを巻きつけ、その不織布の両端を接合し、その不織布の下端を伸縮性のある環状のバンドで止めた形式で作成されたことを特徴とする。  
【図面の簡単な説明】
【０００５】
【図１】本発明の球技用グリップの外観図。
【図２】本発明の球技用グリップの使用例。
【発明を実施するための形態】
【０００６】
本発明を実施するための形態について、以下の如く図を引用しながら詳細に説明する。
【実施例】
【０００７】
図１は、本発明の実施例１に係わる本発明の球技用グリップの外観図である。球技用グリップ１００は、ＴＰＥ製の最下層のグリップＡと不織布の生地が表面に現れる面積を残してシリコンインクで滑り止めの模様を印刷した不織布Ｂとシリコン製の環状のバンドＣを備え、グリップＡに不織布Ｂを巻きつけ、不織布Ｂの両端を接合し、不織布Ｂの下端をバンドＣで止めた構成である。ここで、グリップＡの形状は，丸型だけでなく、パターグリップ型であっても良く、また材質は、エラストマー材である。不織布Ｂの形状はシート状であり、素材はアラミド繊維や、ガラス繊維や、セルロース繊維や、ナイロン繊維や、ビニロン繊維や、ポリエステル繊維や、ポリオレフィン繊維や、レーヨン繊維であってもよく、シリコンインクで任意の滑り止めの模様が印刷されている。バンドＣの形状は環状であり、素材はエラストマー材である。
球技用グリップ１００を用いる場合、球技用クラブに差し込み式で取り付けられるよう、TPE製のグリップＡを用いる。ＴＰＥなどのエラストマーは、弾性を持つためクラブに差し込む際、弾性がある為壊れにくく、さらに、その弾性により若干のクラブのシャフト径の差に対応することが可能である。また、装着後は素材の弾性により、打球時のクラブのへの衝撃を和らげる特性があることは明らかである。不織布Ｂは不織布に不織布の生地が表面に現れる面積を残してシリコンインクで滑り止めの模様を印刷したものであり、不織布の部分が表面に現れることで、不織布の部分で雨水や汗などの水分を吸収し、滑り止め効果の高いシリコンインクで滑り止めの模様の印刷を施すことにより、握力の弱い使用者でも使用しやすい高い滑り止め効果を発揮することができる。バンドＣはシリコン等のエラストマーでできており、その弾性から製造の最終段階でも取り付けすることが容易となる。
【０００８】
図２は、本発明の球技用グリップ１００を球技用のクラブに装着した使用例を示している。
【符号の説明】
【０００９】
Ａ      グリップ
Ｂ      不織布
Ｃ      バンド
１００  球技用グリップ
【図１】
2017018244.tif 000003
【図２】
2017018244.tif 000004
(57)【要約】【課題】両面銅張積層板にレーザ加工によりスリットを形成する工程を含む配線基板の製造方法において、スリットの形成を効率良く行うことが可能な配線基板の製造方法を提供すること。【解決手段】絶縁板１の両面にそれぞれ１０μｍ以上の厚みの銅層２が積層されて成る両面銅張積層板１０を準備する工程と、両面銅張積層板１０の銅層２をエッチングしてスリットを形成する部分３Ａおよびその周囲の銅層２の厚みを選択的にそれぞれ５μｍ以下にする工程と、銅層２の厚みがそれぞれ５μｍ以下となった領域にスリット３をレーザ加工により形成する工程と、を行う配線基板の製造方法である。【選択図】図１
2017098390.tif 000002
【特許請求の範囲】
【請求項１】
両面銅張積層板にレーザ加工によりスリットを形成する工程を含む配線基板の製造方法であって、
絶縁板の両面にそれぞれ１０μｍ以上の厚みの銅層が積層されて成る両面銅張積層板を準備する工程と、
前記両面銅張積層板の前記銅層をエッチングして前記スリットを形成する部分およびその周囲の前記銅層の厚みを選択的にそれぞれ５μｍ以下にする工程と、
前記銅層の厚みがそれぞれ５μｍ以下となった領域に前記スリットをレーザ加工により形成する工程と、
を行うことを特徴とする配線基板の製造方法。
【発明の詳細な説明】
【技術分野】
【０００１】
本発明は、スリットを有する配線基板の製造方法に関するものである。
【背景技術】
【０００２】
従来、両面銅張積層板にスリットを形成する工程を含む配線基板の製造方法が知られている。スリットを形成する加工方法としては、プレス加工やルータ加工、レーザ加工が用いられる。なかでも、レーザ加工は、微細で高精度な加工が必要な場合等に有用である。
【０００３】
両面銅張積層板は、絶縁板の両面に銅層が積層されて成る。絶縁板としは、例えばガラス−エポキシ板等が用いられる。絶縁板の厚みは、０．１〜１ｍｍ程度である。両面の銅層の厚みは、それぞれ１２〜１８μｍ程度である。銅層としては、銅箔が好適に用いられる。
【０００４】
しかしながら、両面銅張積層板にレーザ加工によりスリットを形成する場合、両面の銅層の厚みがそれぞれ１２〜１８μｍと厚いことから、これらの厚い銅層をレーザで貫通するために長時間を要し、スリットの加工効率が低いという問題点があった。
【先行技術文献】
【特許文献】
【０００５】
【特許文献１】特開２０００−５８９２３号公報
【発明の概要】
【発明が解決しようとする課題】
【０００６】
本発明が解決しようとする課題は、両面銅張積層板にレーザ加工によりスリットを形成する工程を含む配線基板の製造方法において、スリットの形成を効率良く行うことが可能な配線基板の製造方法を提供することにある。
【課題を解決するための手段】
【０００７】
本発明の配線基板の製造方法は、両面銅張積層板にレーザ加工によりスリットを形成する工程を含む配線基板の製造方法であって、絶縁板の両面にそれぞれ１０μｍ以上の厚みの銅層が積層されて成る両面銅張積層板を準備する工程と、前記両面銅張積層板の前記銅層をエッチングして前記スリットを形成する部分およびその周囲の前記銅層の厚みを選択的にそれぞれ５μｍ以下にする工程と、前記銅層の厚みがそれぞれ５μｍ以下となった領域に前記スリットをレーザ加工により形成する工程と、を行うことを特徴とするものである。
【発明の効果】
【０００８】
本発明の配線基板の製造方法によれば、両面銅張積層板の銅層をエッチングしてスリットを形成する部分およびその周囲の銅層の厚みを選択的にそれぞれ５μｍ以下にした後、銅層の厚みがそれぞれ５μｍ以下となった領域にスリットをレーザ加工により形成することから、厚みが５μｍ以下の薄い銅層をレーザ加工により短時間で貫通することができる。したがって、スリットの形成を極めて効率よく行うことができる。
【図面の簡単な説明】
【０００９】
【図１】図１（ａ）〜（ｅ）は、本発明の配線基板の製造方法の一実施形態例を説明するための工程毎の概略断面図である。
【発明を実施するための形態】
【００１０】
次に、本発明の配線基板の製造方法の一実施形態例を添付の図１を参照して説明する。まず、図１（ａ）に示すように、両面銅張積層板１０を準備する。両面銅張積層板１０は、絶縁板１の上下面に銅層２を積層して成る。絶縁板１は、例えばガラス−エポキシ板から成る。絶縁板１の厚みは、０．１〜１ｍｍ程度である。銅層２は、銅箔から成る。銅層２の厚みは１２〜１８μｍ程度である。両面銅張積層板１０は、その一部にスリットを形成する部分３Ａを有している。
【００１１】
次に、図１（ｂ）に示すように、両面の銅層を部分的にエッチングしてスリットを形成する部分３Ａおよびその周囲の銅層２の厚みを選択的に薄くする。薄くなった部分の銅箔２の厚みは、それぞれ５μｍ以下とする。スリットを形成する部分３Ａの周囲において銅層２の厚みを薄くする領域は、スリットを形成する領域３Ａから１０〜１００μｍの幅とする。
【００１２】
次に、図１（ｃ）に示すように、スリットを形成する部分３Ａにレーザ光を照射してスリット３を形成する。このとき、スリット３を形成する部分３Ａにおける銅層２の厚みが５μｍ以下の薄いものとなっていることから、この部分における銅層２をレーザ加工により短時間で貫通することができる。したがって、スリット３の形成を極めて効率よく行うことができる。スリット３を形成するレーザとしては、ＹＡＧレーザやエキシマレーザが好適に用いられる。
【００１３】
次に、図１（ｄ）に示すように、スリット３の内壁および銅層２の表面に銅めっき層４を被着する。銅めっき層４の厚みは、５〜２０μｍ程度とする。
【００１４】
最後に、図１（ｅ）に示すように、絶縁板１の両面の銅層２および銅めっき層４を所定のパターンにエッチングすることにより、銅層２および銅めっき層４から成る配線導体５を形成する。このとき、配線導体５を形成する銅層２は、スリット３の周囲以外では厚みが厚いままなので、十分な厚みの配線導体５を形成することができる。
【００１５】
なお、本発明は、上述の一実施形態例に限定されるものではなく、本発明の要旨を逸脱しない範囲であれば、種々の変更は可能である。例えば、上述の一実施形態例では、銅層２は、銅箔から形成されていたが、銅層２は、銅めっき層から形成されていても良いし、銅箔および銅めっき層の積層体から形成されていてもよい。
【符号の説明】
【００１６】
１    絶縁板
２    銅層
３    スリット
３Ａ  スリットを形成する部分
１０    両面銅張積層板
【図１】
2017098390.tif 000003
(57)【要約】【課題】複数のＬＥＤ照明装置を１台の制御装置に接続して使用する従来のものでは、外部の商用電源からの交流電力を制御装置で整流して直流電力に変換して、各ＬＥＤ照明装置に供給するように構成されており、そのため各ＬＥＤ照明装置は制御装置から切り離して単独で使用することができないという不具合がある。【解決手段】外部の商用電源から供給される交流電力を直流電力に変換する電源部と、電源部から出力される直流電力がＬＥＤに流れる電流値を制御してＬＥＤの輝度を調節する駆動部とを備えたＬＥＤ照明装置において、外部からの制御信号が送られてくる信号線が接続されるターミナル部を有し、上記駆動部はその信号線を介して送られてくる制御信号を入力して、ＬＥＤの輝度の増減及びＬＥＤの点消灯を行う調光機能を設ける。【選択図】  図１
2017098144.tif 000002
【特許請求の範囲】
【請求項１】
外部の商用電源から供給される交流電力を直流電力に変換する電源部と、電源部から出力される直流電力がＬＥＤに流れる電流値を制御してＬＥＤの輝度を調節する駆動部とを備えたＬＥＤ照明装置において、外部からの制御信号が送られてくる信号線が接続されるターミナル部を有し、上記駆動部はその信号線を介して送られてくる制御信号を入力して、ＬＥＤの輝度の増減及びＬＥＤの点消灯を行う調光機能を備えていることを特徴とするＬＥＤ照明装置。
【請求項２】
上記信号線が複数接続される信号出力部を備え、各信号線に上記制御信号を出力する制御部を備えたことを特徴とするＬＥＤ照明制御装置。
【発明の詳細な説明】
【技術分野】
【０００１】
本発明は、商用電源からの交流電力によりＬＥＤを点灯させて単独で使用することのできるＬＥＤ照明装置と、このＬＥＤ照明装置を複数個同時に制御することのできるＬＥＤ照明制御装置とに関する。
【背景技術】
【０００２】
ＬＥＤ照明装置として、外部の商用電源からの交流電力を用いてＬＥＤを点灯させるものが知られている。このようなＬＥＤ照明装置では、赤外線式のリモコンによって輝度を増減する調光機能を備えたものが知られている。なお、このような照明器具は単独で使用されるので、複数の照明器具を同時に点消灯し、あるいは調光することはできない。
【０００３】
これに対して、１個の制御装置に複数のＬＥＤ照明器具を接続して、この制御装置によって複数のＬＥＤ照明装置の制御を行うようにしたものが知られている（例えば、特許文献１参照）。
【先行技術文献】
【特許文献】
【０００４】
【特許文献１】特開２０１１−３４８９６号公報（図１）
【発明の概要】
【発明が解決しようとする課題】
【０００５】
上記特許文献に記載された従来のＬＥＤ照明装置では、外部の商用電源からの交流電力を制御装置で整流して直流電力に変換して、各ＬＥＤ照明装置に供給するように構成されており、そのため各ＬＥＤ照明装置は制御装置から切り離して単独で使用することができないという不具合がある。
【０００６】
そこで本発明は、上記の問題点に鑑み、単独で使用することができるＬＥＤ照明装置と、このＬＥＤ照明装置が複数接続され、各ＬＥＤ照明装置を制御することのできるＬＥＤ照明制御装置とを提供することを課題とする。
【課題を解決するための手段】
【０００７】
上記課題を解決するために本発明によるＬＥＤ照明装置は、外部の商用電源から供給される交流電力を直流電力に変換する電源部と、電源部から出力される直流電力がＬＥＤに流れる電流値を制御してＬＥＤの輝度を調節する駆動部とを備えたＬＥＤ照明装置において、外部からの制御信号が送られてくる信号線が接続されるターミナル部を有し、上記駆動部はその信号線を介して送られてくる制御信号を入力して、ＬＥＤの輝度の増減及びＬＥＤの点消灯を行う調光機能を備えていることを特徴とする。
【０００８】
また、上記課題を解決するために本発明によるＬＥＤ照明制御装置は、上記信号線が複数接続される信号出力部を備え、各信号線に上記制御信号を出力する制御部を備えたことを特徴とする。
【発明の効果】
【０００９】
以上の説明から明らかなように、本発明は、外部の商用電源から供給される交流電力を直流電力に変換する電源部を備えているので、ＬＥＤ照明器具を単独で使用することができ、かつ、上記ＬＥＤ照明制御装置に接続することにより、このＬＥＤ照明制御装置によって輝度などを制御することができる。
【図面の簡単な説明】
【００１０】
【図１】本発明の一実施の形態の構成を示す図
【発明を実施するための形態】
【００１１】
図１を参照して、１は本発明によるＬＥＤ照明装置である。内部には外部の商用電源ＰＳから供給される交流電力を所定の電圧の直流電力に整流する電源部１１と、この電源部１１から出力される直流電力をＬＥＤ１３に供給する際に、ＬＥＤ１３を所定の輝度にするために電流制御をする駆動部１２とを備えている。従って、このＬＥＤ照明装置１を単独で商用電源ＰＳに接続すると、ＬＥＤ１３が発光して照明装置として使用することができる。
【００１２】
上記駆動部１２は外部からの制御信号が入力されると、その制御信号によってＬＥＤ１３への電流値を増減してＬＥＤ１３の輝度を調光すると共に、ＬＥＤ１３への電流供給を停止してＬＥＤ１３を消灯させる機能とを備えている。
【００１３】
その制御信号はＬＥＤ照明制御装置（以下、制御装置という）２から送信される。この制御装置２には上記のようなＬＥＤ照明装置１を複数接続することができるように、本実施の形態では接続用のポート２１を６個設けた。また、制御装置２には点消灯スイッチと調光つまみとを備えたスイッチユニット２２が接続されており、制御装置２はこのスイッチユニット２２に対する操作を検知して、その操作に対応する制御信号を上記駆動部１２へと送信する。
【００１４】
本図に示した実施の形態では制御装置２に１台のＬＥＤ照明装置１を接続しているが、空いているポート２１に他のＬＥＤ照明装置１を接続している場合、スイッチユニット２２に対して点灯操作をすると、全てのＬＥＤ照明装置１が点灯し、また、スイッチユニット２２に対して調光操作をすると、全てのＬＥＤ照明装置１の輝度が増減する。また、スイッチユニット２２に対して消灯操作をすれば全てのＬＥＤ照明装置１が消灯することになる。
【００１５】
なお、本発明は上記した形態に限定されるものではなく、本発明の要旨を逸脱しない範囲内において種々の変更を加えてもかまわない。
【符号の説明】
【００１６】
１ 照明装置
２ （ＬＥＤ照明）制御装置
１１ 電源部
１２ 駆動部
１３ ＬＥＤ
２２ スイッチユニット
ＰＳ 商用電源
【図１】
2017098144.tif 000003
(57)【要約】【課題】この発明は、なりすまし詐欺からの電話を未然に防止するもので、あらかじめ登録しておいた、なりすまし詐欺のだましのテクニックを音声で伝えることにより、未然になりすまし詐欺防止を提供する。【解決手段】  録音機収納箱（１）に録音機（２）を収納し、録音機収納箱の上部に録音機スイッチを設け、表面蓋（４）の表面に標示板（５）を設けたことを特徴とする。【選択図】図１
2017098924.tif 000002
【特許請求の範囲】
【請求項１】
録音機収納箱（１）に録音機（２）を設け、録音機収納箱（１）の上部に録音機スイッチ（３）を設け、表面蓋（４）に標示板（５）を設けたことを特徴とした、なりすまし詐欺防止録音機。
【発明の詳細な説明】
【技術分野】
【０００１】  本発明は、録音機収納箱の中に録音機を設け、なりすまし詐欺がよく使うだましの用語をあらかじめ録音登録し、だまされてはいけない注意用語を標示した標示板を設けた、なりすまし詐欺防止録音機に関するものである。
【背景技術】
【０００２】  従来、防犯目的の電話装置などがあったが、これは相手の言葉だけを録音するもので、未然に詐欺防止の役立っていなかった。
【先行技術文献】
【０００３】
【特許文献】
【発明の概要】
【発明が解決しようとする課題】
【０００４】  これは、つぎのような欠点があった。
従来、なりすまし詐欺などの電話があると、その内容の声を同時に録音するだけのもので、未然に詐欺防止の解決にならなかった。
本発明は、以上のような欠点をなくすためになされたものである。
【課題を解決するための手段】
【０００５】  録音収納箱（１）に録音機（２）を設け、録音収納箱（１）の上部に録音機スイッチ（３）を設け、表面蓋（４）に標示板（５）を設ける。
本発明は、以上の構成よりなる、なりすまし詐欺防止録音機である。
【発明の効果】
【０００６】金銭にかかわる電話があり、話が終わると同時に本人が録音機のスイッチを入れると、あらかじめ録音機に登録されている詐欺のだましのテクニックの例を音声で知らせ、更に標示板には、だまされてはいけない標語と身内の人や警察署に電話相談する事を知らせる標示をすることで、なりすまし詐欺を未然に防止ることができる。
【図面の簡単な説明】
【０００７】
【図１】  本発明の分解斜視図である。
【図２】  本発明の斜視図である。
【発明を実施するための形態】
【０００８】以下、本発明を実施するための形態について説明する。
録音機収納箱（１）の中に録音機（２）を収納し、録音機スイッチ（３）を録音機収納箱（１）の上部に取り付け、表面蓋（４）の表面に標示板（５）を設ける。
本発明は、以上のような構造である。
本発明を使用するときは、なりすまし詐欺などから電話があったときに標示板（５）標語の説明に従い録音機スイッチ（３）を押すと、だましの事例が音声で知らせる。更に標示板（５）に警察署（１１０）と身内の電話番号を表示して、すぐに相談できるシステムです。相手を信用する前にだまされていることに早く気づかせることで未然に防止できる。
【符号の説明】
【０００９】１  録音機収納箱
２  録音機
３  録音機スイッチ
４  表面蓋
５  標示板
【図１】
2017098924.tif 000003
【図２】
2017098924.tif 000004
(57)【要約】【課題】  自分の画像を映すとき、左右が逆にならず、目線が合い、録画できるように、画像表示画面上に、カメラを設けた、鏡を提供する。【解決手段】  画像表示画面上にカメラを設けた電子式鏡を特徴とする。【選択図】図１
2017098923.tif 000002
【特許請求の範囲】
【請求項１】
画像表示画面上に、カメラを設けた電子式鏡。
【発明の詳細な説明】
【技術分野】
【０００１】  この発明は、画像表示画面上に、カメラを設けた、電子式鏡に、関するものである。
【背景技術】
【０００２】  従来、画像表示画面上に、カメラを設けた、画像装置は、なかった。
【先行技術文献】
【０００３】
【特許文献１】
【発明の概要】
【発明が解決しようとする課題】
【０００４】  これは、次のような欠点があった。
（イ）従来、鏡は、左右が逆に映り、また、その場かぎりで、録画できなかった。
（ロ）画像表示画面の外に、カメラがついたものは、目線が合わず、正面画像がうまく映らなかった。
本発明は、以上のような欠点をなくすためになされたものである。
【課題を解決するための手段】
【０００５】  画像表示画面上に、カメラを設ける。
本発明は、以上の構成よりなる、電子式鏡である。
【発明の効果】
【０００６】  画像表示画面上に、カメラがついているので、自分を正面に置けば、目線が合った、画像が映り、左右が逆に映らず、それを録画できる。
【図面の簡単な説明】
【０００７】
【図１】  本発明の正面図である。
【発明を実施するための形態】
【０００８】  以下、本発明を実施するための形態について説明する。
薄型の表示モニター（２）の画面上に、穴をあけ、カメラ（１）を設ける。
背面に、今撮っている動画を画面に送り、その画像の静止画録画や動画録画と再生の装置を設ける。
これを使用するときは、カメラに、目線の合うところに、自分を置き、動画を見る。
【符号の説明】
【０００９】    １  カメラ
２  薄型の表示モニター
【図１】
2017098923.tif 000003
(57)【要約】      （修正有）【課題】レンズと一体になった眼鏡枠を上部に回転したりして、歩行とか遠くを見る時何とか目から老眼鏡を簡単に取り除き又使用する時は、スムーズに取り入れることが可能な眼鏡枠を提供する。【解決手段】眼鏡の下部は、枠無しとして、眼鏡レンズのみで対応。眼鏡の上部については、眼鏡枠の中にレンズは嵌めないで、眼鏡枠とレンズを眼鏡ヒンジで取り合いして、眼鏡枠とレンズには、レンズが上部に回転した場合支障を来さない隙間を設ける。【選択図】図１
2017194659.tif 000002
【特許請求の範囲】
【請求項１】
（イ）眼鏡の下部は、枠無しとして、眼鏡レンズのみで対応。眼鏡の上部については、眼鏡枠の中にレンズは嵌めないで、眼鏡枠とレンズ上部を眼鏡ヒンジで取り合いして、この眼鏡枠とレンズには、レンズが上部に回転した場合支障を来さない隙間を設けます。これでレンズを上・下部に回転させることで、老眼鏡を掛けて歩ける眼鏡です。
（ロ）上部の眼鏡枠とレンズ上部を眼鏡ヒンジで拘束して、レンズを回転させる仕様としますが、この場合使用する眼鏡ヒンジの形状、重さ、大きさ、材質、色彩又眼鏡枠とレンズ上部をヒンジで拘束する個数と仕様形式等にはついては限定しない又上部眼鏡枠とレンズの隙間の大きさについては、限定しない。さらに眼鏡レンズの回転角度等仕様構造については、限定しないとされた老眼鏡を掛けて歩ける眼鏡です。
【発明の詳細な説明】
【技術分野】
【０００１】この発明は、眼鏡を掛けた状態のまま、眼鏡枠内のレンズのみを上部に回転する事により、老眼鏡を掛けていても歩ける事が出来るように仕様された眼鏡である。
【背景技術】
【０００２】従来の例えば老眼鏡を単独で掛けて歩く事は、危険であり又遠近両用眼鏡にしても、初めて使うときは、徐々に慣れていくことが大切と有り、中々理に適う眼鏡はありませんでした。
【発明が解決しようとする課題】
【０００３】これは次のような欠点があった。
人間本来の水晶体は、高齢になるとどうしても若い時みたいに毛様体筋によって、水晶体の形や厚みを変えることは、出来ませんから、例えば新聞等近くの物を見る時は、老眼鏡等の方法を取らざるを得ないのが実状であり、又遠近両用眼鏡が上手く使えない方とか遠くの物を見る時には、例えば車の運転等には、支障は来さない為に、とりあえば老眼鏡だけあれば、事足りる人が多々ありました。しかし老眼鏡を掛けて、歩行することは、大変危険であります。其の為に頭部に眼鏡をずらしたり又眼鏡を一時的に外して、結果的に何処に置いたか判らずに、何個も購入等してきました。其の為に眼鏡チェーンを眼鏡に取り付け対応してきましたが、面倒であり又チェーンが絡んだり、外れたりと苦慮してきました。そこでレンズと一体になった眼鏡枠を上部に回転したりして、歩行とか遠くを見る時何とか目から老眼鏡を簡単に取り除き又使用する時は、スムーズに取り入れたい。これらの課題を解決する事が課題であった。
【課題を解決する為の手段】
【０００４】基本的な考えかたとして、眼鏡レンズと眼鏡枠は、直接取り合いはしません。
レンズ下部は、枠無しとして、眼鏡レンズのみで対応します。眼鏡の上部についてのみ眼鏡枠を設けて、レンズとの取りあいは、眼鏡枠と取り合いしますが、レンズを眼鏡枠に嵌めないで、眼鏡ヒンジによって、レンズと眼鏡枠を取り合いして、眼鏡枠とレンズには、レンズが上部に回転した場合支障を来さない隙間を設けます。
【発明の効果】
【０００５】老眼鏡を掛けて、眼鏡枠は、触らないで其のまま掛けたままで、レンズの下側を手動にて、上部に回転して、歩行する事更に遠くを見る事も簡単に出来るようになりました。又老眼鏡を使用する場合は、上部に回転された、レンズの先端を手動にて、下部に下げる事で対応出来ますので、簡単にスムーズに出来るようになりました。
【発明を実地する為の最良の形態】
【０００６】以下。本発明を実地する為の最良の形態について説明する。
眼鏡の下部は、枠無しとして、眼鏡レンズのみで対応。眼鏡の上部については、眼鏡枠の中にレンズは嵌めないで、眼鏡枠とレンズを眼鏡ヒンジで取り合いして、眼鏡枠とレンズには、レンズが上部に回転した場合支障を来さない隙間を設けます。これでレンズを上・下部に回転させることで、可能になる眼鏡です。
【図面の簡単な説明】
【０００７】
【図１】本発明の平面図と立面図、側面図である。
【図２】本発明のあいそめ図である。
【符号の説明】
【０００８】１    眼鏡
２    眼鏡レンズ
３    眼鏡枠
４    眼鏡枠の上部
５    眼鏡の下部（枠無し）
６    眼鏡ヒンジ
【図１】
2017194659.tif 000003
【図２】
2017194659.tif 000004